(57)【特許請求の範囲】
【請求項１】
複数又は複数の種類の商品を購入可能な販売機の商品搬出順序作成システムにおいて，購入商品の指定を行うとともに商品情報を入力する入出力手段と，前記商品情報を格納する商品情報格納手段と，前記商品情報に基づいて搬出順序情報を作成する順序情報作成手段と，前記搬出順序情報に基づいて商品を順に搬出する商品搬出手段とを備え，前記順序情報作成手段は，最も品質保持期限の迫った商品又は最も古く入庫した商品を含む棚番号候補を決定する棚番号候補決定手段を備えていることを特徴とする商品搬出順序作成システム。
【請求項２】
請求項１に記載の商品搬出順序作成システムにおいて，前記棚番号候補決定手段は，顧客の指定した商品の商品番号に対応した棚番号を検索し，抽出する棚番号抽出手段と，販売期限が古い順にソートする期限別ソート手段と，同一の品質保持期限の中の在庫数により，降順にソートする降順ソート手段とを備えていることを特徴とする商品搬出順序作成システム。
【請求項３】
請求項１に記載の商品搬出順序作成システムにおいて，前記順序情報作成手段は，決定された棚番号候補の商品の内で，商品の壊れやすさを示すレベルに基づいて，壊れにくいものから順に搬出するように前記搬出順序情報を作成する第１の順序情報作成手段を備えていることを特徴とする商品搬出順序作成システム。
【請求項４】
請求項３に記載の商品搬出順序作成システムにおいて，前記第１の順序情報作成手段は，前記搬出順序情報から同じ壊れにくいレベルの商品が少なくとも２種類あるときに，前記少なくとも２種類の商品を顧客の手元に届くのに最も短い時間ですむように搬出順序を入れ替えて第２の搬出順序情報を作成する第２の順序情報作成手段を備えていることを特徴とする商品搬出順序作成システム。
【請求項５】
請求項３に記載の商品搬出順序作成システムにおいて，前記第１の順序情報作成手段は，搬出する棚番号及び個数を決定する棚個数決定手段と，商品のレベルによって，壊れにくい商品から搬出する順序情報を作成するレベル別搬出順序情報作成手段とを備えていることを特徴とする商品搬出順序作成システム。
【発明の詳細な説明】
【０００１】
【発明の属する技術分野】
本発明は，商品を販売する機械，自動販売機，無人店舗等における商品搬出順序作成システムに関する。
【０００２】
【従来の技術】
従来，商品を販売する機械，自動販売機，及び無人店舗等の販売機において，購入者が所望する一つの商品を購入する場合，この同一商品が複数の商品ストッカー（以降，コラムと呼ぶ）にある場合，商品在庫の多いコラムから順次搬出するように構成されている。
【０００３】
また，購入者が異なる商品を１度に複数購入する場合，品質保持期限，商品の壊れ易さ，入庫日，及びコラム位置等の商品の特性に関わらず，購入者が指定した商品の順番通りに，前記したように，商品在庫の多いコラムから順次搬出する構成であった。
【０００４】
【発明が解決しようとする課題】
しかしながら，従来技術による販売機において，販売者は，コラム内に装填されている商品のうち，品質保持期限が間近に迫っている商品から販売しなければ，品質保持期限を過ぎた商品を多数抱えてしまい，不利益が生じる可能性があるという欠点を有した。
【０００５】
また，販売機から複数種の商品を購入する場合，商品の搬出順序によっては，顧客が商品を手にする前に商品同士の衝突により商品が壊れたり，変形してしまうという欠点を有した。
【０００６】
そこで，本発明の一技術的課題は，販売機において，利益効率の高い商品販売を行うことができる商品搬出順序作成システムを提供することにある。
【０００７】
また，本発明の他の技術的課題は，販売機において販売する商品を顧客が手にする前において，形状の保護ができる商品搬出順序作成システムを提供することにある。
【０００８】
【課題を解決するための手段】
本発明によれば，複数又は複数の種類の商品を購入可能な販売機の商品搬出順序作成システムにおいて，購入商品の指定を行うとともに商品情報を入力する入出力手段と，前記商品情報を格納する商品情報格納手段と，前記商品情報に基づいて搬出順序情報を作成する順序情報作成手段と，前記搬出順序情報に基づいて商品を順に搬出する商品搬出手段とを備え，前記順序情報作成手段は，最も品質保持期限の迫った商品又は最も古く入庫した商品を含む棚番号候補を決定する棚番号候補決定手段を備えていることを特徴とする商品搬出順序作成システムが得られる。
【００１０】
また，本発明によれば，前記いずれかの商品搬出順序作成システムにおいて，前記棚番号候補決定手段は，顧客の指定した商品の商品番号に対応した棚番号を検索し，抽出する棚番号抽出手段と，販売期限が古い順にソートする期限別ソート手段と，同一の品質保持期限の中の在庫数により，降順にソートする降順ソート手段とを備えていることを特徴とする商品搬出順序作成システムが得られる。
【００１１】
また，本発明によれば，前記商品搬出順序作成システムにおいて，前記順序情報作成手段は，決定された棚番号候補の商品の内で，商品の壊れやすさを示すレベルに基づいて，壊れにくいものから順に搬出するように前記搬出順序情報を作成する第１の順序情報作成手段を備えていることを特徴とする商品搬出順序作成システムが得られる。
【００１２】
また，本発明によれば，前記商品搬出順序作成システムにおいて，前記第１の順序情報作成手段は，前記搬出順序情報から同じ壊れにくいレベルの商品が少なくとも２種類あるときに，前記少なくとも２種類の商品を顧客の手元に届くのに最も短い時間ですむように搬出順序を入れ替えて第２の搬出順序情報を作成する第２の順序情報作成手段を備えていることを特徴とする商品搬出順序作成システムが得られる。
【００１３】
また，本発明によれば，前記商品搬出順序作成システムにおいて，前記第１の順序情報作成手段は，搬出する棚番号及び個数を決定する棚個数決定手段と，商品のレベルによって，壊れにくい商品から搬出する順序情報を作成するレベル別搬出順序情報作成手段とを備えていることを特徴とする商品搬出順序作成システムが得られる。
【００１４】
【発明の実施の形態】
以下，本発明の実施の形態について図面を参照して説明する。
【００１５】
図１は本発明の実施の形態による商品搬出順序作成システムの概略構成を示す図である。
【００１６】
図１に示すように，商品搬出順序作成システム１０は，入出力装置１と，中央処理装置（ＣＰＵ）２と，在庫メモリ３と，商品搬出機４とを備えている。
【００１７】
顧客は，商品選択装置としての入出力装置１から購入する商品の商品データ（番号）５をＣＰＵ２に通知する。在庫メモリ３は，商品情報格納手段として動作し，商品毎に商品情報と在庫数とを含む在庫商品情報６を格納する。ここで，商品情報とは，品質保持期限，商品の壊れ易さ（以下，レベルと呼ぶ），及び棚（コラム）の位置を夫々示す情報を呼ぶ。尚，商品情報は，入出力装置１から入力され，ＣＰＵ２で作成されて，在庫メモリ３に格納される。
【００１８】
また，ＣＰＵ２は，商品番号５に基づいて指定された商品の商品情報転送命令５´を在庫メモリ３に出力し，在庫メモリ３から在庫商品情報６を受け取り，これから各商品の商品情報を取得し，搬出順序情報である搬出順序情報を作成する（順序情報作成手段）。この搬出順序情報に基づき，商品搬出手段としての商品搬出機４に搬出指示命令及び搬出順序情報を含む搬出指示情報７を出力する。
【００１９】
商品搬出順序作成システム１０においては，商品を販売する際には，順序情報作成手段は，棚番号決定手段と，第１及び第の順序情報作成手段とを備え，次に示す搬出順序情報を作成し，商品搬出手段は，作成した搬出順序情報に基づいて購入者が指定した商品を搬出する。
【００２０】
ここで，順序情報作成手段による搬出順序情報は，まず，搬出の優先順序を示す棚番号候補の決定をする（棚番号候補決定手段）ことから開始される。具体的には，棚番号候補決定手段は，全コラムの中から同一の搬出商品があるか検索し，その中で最も品質保持期限が迫っていて入庫日が最も古い日付のコラムを棚番号候補とする。但し，同じ品質保持期限のコラムであれば，在庫数の多いコラムを棚番号候補とする。
【００２１】
次に，搬出情報作成手段は，第１の搬出順序情報の作成を行う（第１の順序情報作成手段）。この第１の順序情報作成手段は，互いに異なる複数の商品を搬出する場合は，レベルによって壊れにくい商品から搬出するように第１の搬出順序情報を作成する。続いて，搬出情報作成手段は，第２の搬出順序情報の作成を行う（第２の順序情報作成手段）。第２の順序情報作成手段は，第１の順序情報作成手段が作成した第１の搬出順序情報の中で同じレベルの商品がある場合は，搬出終了までの時間，即ち，商品が顧客の手元に届くまでの時間が最も短くなる組み合わせを計算し，第２の搬出順序情報を再構成する。但し，再構成は同じレベルの商品内だけの入れ替えとする。
【００２２】
尚，商品搬出手段は，第２の搬送順序情報を搬出指示命令とともに搬出指示情報７として受け取る。
【００２３】
次に，商品搬出順序作成システム１０の動作について説明する。
【００２４】
図２は図１に示す商品搬出順序作成システム１０の動作を示すフローチャートである。図２を参照すると，まず，商品選択操作として，顧客が入出力手段としての入出力装置１から購入する商品データ（商品番号）を入力する（ステップＳ１）。
【００２５】
次に，ＣＰＵ２は，取得した商品番号に該当する在庫，商品情報を在庫メモリ３から入手する（ステップＳ２）。
【００２６】
次に，ＣＰＵ２は，在庫メモリ３から取得した在庫商品情報６から，販売可能な棚番号情報だけを抽出し，搬出する棚番号候補情報を作成する（ステップＳ３）。ここで，ステップＳ３の処理を処理Ａと呼ぶ。この処理Ａは，具体的には，図３のフローチャートに示すように，商品番号に対応した棚番号を検索し，抽出する（棚番号抽出手段，ステップＡ１）。次に，販売期限が古い順にソートする（期限別ソート手段，ステップＡ２）。更に，同一の品質保持期限の中の在庫数により，降順にソートする（降順ソート手段，ステップＡ３）ことによりなされる。
【００２７】
次に，ＣＰＵ２は，第１の順序情報作成手段として作用し，棚番号候補情報の中から，搬出に最適な棚番号を選定し，壊れにくい商品から搬出するように搬出順序を作成する（ステップＳ４）。ここで，ステップＳ４の処理を処理Ｂと呼ぶ。この処理Ｂは，具体的には，図４のフローチャートに示すように，処理Ａで作成した情報の中から今回搬出する棚番号及び個数を決定する（商品位置個数決定手段，ステップＢ１）。次に商品のレベルによって，壊れにくい商品から搬出する順序が作成される（レベル別搬出順序情報作成手段，ステップＢ２）ことによってなされる。ここで，最適な棚番号とは，同一商品のなかの品質保持期限が最も迫っている棚面のなかで，在庫数が最も多い棚を最適な棚番号という。但し，搬出する個数によっては，複数の棚番号となる場合もある。
【００２８】
続いて，同じ壊れにくい商品があれば搬出開始から搬出終了までの時間が最短になるように搬出順序情報を再編集して，第１の搬出順序情報を作成する。続いて，搬出を開始する（ステップＳ５）。ここで，ステップＳ５の処理を処理Ｃと呼ぶ。この処理Ｃは，第２の順序情報作成手段によってなされる。具体的に，第２の順序情報作成手段は，図５のフローチャートに示すように，同じレベル内で商品搬出が早くなるように，第１の搬出順序情報を再編集して，第２の搬出順序情報を作成する（ステップＣ１）ことによってなされる。この第２の搬出順序情報は，搬出命令とともに搬出指示情報７として商品搬出機４に送り出され，この第２の搬出順序情報に基づいて商品搬出が開始される。
【００２９】
次に，搬出が途中で終了した場合，または商品が在庫メモリよりも少なく足りない場合は，再度，搬出順序作成手段は，追加の搬出順序情報を作成し，残りの商品の搬出を行う（ステップ６）。商品搬出機４による商品の搬出が完全に終了した場合，動作は終了となる。
【００３０】
【発明の効果】
以上，説明したように，本発明によれば，利益効率の高い商品販売を行うことができる商品搬出順序作成システムを提供することができる。
【００３１】
また，本発明によれば，販売する商品の形状保護ができる商品搬出順序作成システムを提供することができる。
【図面の簡単な説明】
【図１】本発明の実施の形態による商品搬出順序作成システムの概略構成を示す図である。
【図２】図１に示す商品搬出順序作成システム１０の動作を示すフローチャートである。
【図３】図２の処理Ａの具体的動作を示すフローチャートである。
【図４】図２の処理Ｂの具体的動作を示すフローチャートである。
【図５】図２の処理Ｃの具体的動作を示すフローチャートである。
【符号の説明】
１    入出力装置
２    中央処理装置（ＣＰＵ）
３    在庫メモリ
４    商品搬出機
５    商品データ（商品番号）
５´  在庫商品情報転送命令
６    在庫商品情報
７    搬出指示情報
１０  商品搬出順序作成システム
【図１】
0003905183.tif 000002
【図２】
0003905183.tif 000003
【図３】
0003905183.tif 000004
【図４】
0003905183.tif 000005
【図５】
0003905183.tif 000006